(57)【要約】【課題】画像処理装置によるサービスの利用を可能にするための設定を簡単に行うことが可能なサービス利用制御システムを提供する。【解決手段】画像処理装置１０は、認証情報の入力を受け付ける認証情報受付部１１と、認証情報を総合サービスサーバ４０に送る認証情報送出部１２と、当該画像処理装置を識別するための識別情報を総合サービスサーバ４０に送る識別情報送出部１３とを備える。総合サービスサーバ４０は、上記認証情報を受け取る認証情報受取部４１と、上記識別情報を受け取る識別情報受取部４２と、上記認証情報に基づいて認証を行う認証部４３と、認証が成功した場合に、上記識別情報で識別される画像処理装置１０による所定のサービスの利用を可能にする処理を行う処理部４８とを備える。【選択図】図２
2008065501.tif 000002
【特許請求の範囲】
【請求項１】
画像処理装置と、サービス利用制御装置と、を有し、
前記画像処理装置は、
認証情報の入力を受け付ける認証情報受付部と、
前記認証情報を前記サービス利用制御装置に送る認証情報送出部と、
当該画像処理装置を識別するための識別情報を前記サービス利用制御装置に送る識別情報送出部と、
を備え、
前記サービス利用制御装置は、
前記画像処理装置から前記認証情報を受け取る認証情報受取部と、
前記画像処理装置から前記識別情報を受け取る識別情報受取部と、
前記認証情報に基づいて認証を行う認証部と、
前記認証が成功した場合に、前記識別情報で識別される画像処理装置による所定のサービスの利用を可能にする処理を行う処理部と、
を備える、
ことを特徴とするサービス利用制御システム。
【請求項２】
請求項１に記載のサービス利用制御システムであって、
前記画像処理装置は、
当該画像処理装置について利用可能にすることが可能なサービスの一覧を前記サービス利用制御装置から受け取るサービス一覧受取部と、
前記サービスの一覧の中からサービスを選択するサービス選択部と、
前記サービスの選択結果を前記サービス利用制御装置に送るサービス選択結果送出部と、
をさらに備え、
前記サービス利用制御装置は、
前記認証情報または前記識別情報に基づき、前記サービスの一覧を前記画像処理装置に送るサービス一覧送出部と、
前記サービスの選択結果を前記画像処理装置から受け取るサービス選択結果受取部と、
をさらに備え、
前記処理部は、前記サービスの選択結果に基づき、前記選択されたサービスの利用を可能にする処理を行う、
ことを特徴とするサービス利用制御システム。
【請求項３】
請求項１または２に記載のサービス利用制御システムであって、
前記画像処理装置は、
画像処理装置の一覧を前記サービス利用制御装置から受け取る装置一覧受取部と、
前記画像処理装置の一覧の中から画像処理装置を選択する装置選択部と、
前記画像処理装置の選択結果を前記サービス利用制御装置に送る装置選択結果送出部と、
をさらに備え、
前記サービス利用制御装置は、
前記認証情報に関連付けられている画像処理装置の一覧を前記画像処理装置に送る装置一覧送出部と、
前記画像処理装置の選択結果を前記画像処理装置から受け取る装置選択結果受取部と、
をさらに備え、
前記処理部は、前記画像処理装置の選択結果に基づき、前記識別情報で識別される画像処理装置に加えて、前記選択された画像処理装置による前記サービスの利用を可能にする処理を行う、
ことを特徴とするサービス利用制御システム。
【請求項４】
請求項１から３のいずれか１項に記載のサービス利用制御システムであって、
前記処理部は、前記認証情報に関連付けられている承認者にサービスの利用可否を問い合わせ、前記承認者から利用可の旨の回答を受けた場合に、サービスの利用を可能にする処理を行う、
ことを特徴とするサービス利用制御システム。
【請求項５】
画像処理装置から認証情報を受け取る認証情報受取部と、
前記画像処理装置から当該画像処理装置を識別するための識別情報を受け取る識別情報受取部と、
前記受け取られた認証情報に基づいて認証を行う認証部と、
前記認証が成功した場合に、前記受け取られた識別情報で識別される画像処理装置による所定のサービスの利用を可能にする処理を行う処理部と、
を備えることを特徴とするサービス利用制御装置。
【請求項６】
コンピュータに、
画像処理装置から認証情報を受け取るステップと、
前記画像処理装置から当該画像処理装置を識別するための識別情報を受け取るステップと、
前記受け取られた認証情報に基づいて認証を行うステップと、
前記認証が成功した場合に、前記受け取られた識別情報で識別される画像処理装置による所定のサービスの利用を可能にする処理を行うステップと、
を実行させることを特徴とするサービス利用制御プログラム。
【発明の詳細な説明】
【技術分野】
【０００１】
本発明は、サービス利用制御システム、サービス利用制御装置、およびサービス利用制御プログラムに関する。
【背景技術】
【０００２】
スキャナ機能、プリンタ機能、ファクシミリ機能などを備える複合機からインターネット上のサービスを利用するシステムが知られている。
【０００３】
なお、特許文献１には、ネットワーク上のデバイスのサービスに関するユーザの登録とリソースのダウンロードの設定を自動的に行う情報処理装置が開示されている。
【０００４】
【特許文献１】特開２００４−７０４０１号公報
【発明の開示】
【発明が解決しようとする課題】
【０００５】
ところで、複合機などの画像処理装置からインターネット上などのサービスを利用する場合、利用に先立ってパーソナルコンピュータ（ＰＣ）からのインターネット上などのサービスに関する設定、例えば、画像処理装置に対するライセンス情報の設定が必要であり、設定手順が複雑である。
【０００６】
本発明は、画像処理装置によるインターネット上などのサービスの利用を可能にするための設定を簡単に行うことが可能なサービス利用制御システムを提供する。
【課題を解決するための手段】
【０００７】
本発明に係るサービス利用制御システムは、画像処理装置と、サービス利用制御装置と、を有し、前記画像処理装置は、認証情報の入力を受け付ける認証情報受付部と、前記認証情報を前記サービス利用制御装置に送る認証情報送出部と、当該画像処理装置を識別するための識別情報を前記サービス利用制御装置に送る識別情報送出部と、を備え、前記サービス利用制御装置は、前記画像処理装置から前記認証情報を受け取る認証情報受取部と、前記画像処理装置から前記識別情報を受け取る識別情報受取部と、前記認証情報に基づいて認証を行う認証部と、前記認証が成功した場合に、前記識別情報で識別される画像処理装置による所定のサービスの利用を可能にする処理を行う処理部と、を備える、ことを特徴とする。
【０００８】
本発明の一態様では、前記画像処理装置は、当該画像処理装置について利用可能にすることが可能なサービスの一覧を前記サービス利用制御装置から受け取るサービス一覧受取部と、前記サービスの一覧の中からサービスを選択するサービス選択部と、前記サービスの選択結果を前記サービス利用制御装置に送るサービス選択結果送出部と、をさらに備え、前記サービス利用制御装置は、前記認証情報または前記識別情報に基づき、前記サービスの一覧を前記画像処理装置に送るサービス一覧送出部と、前記サービスの選択結果を前記画像処理装置から受け取るサービス選択結果受取部と、をさらに備え、前記処理部は、前記サービスの選択結果に基づき、前記選択されたサービスの利用を可能にする処理を行う。
【０００９】
また、本発明の一態様では、前記画像処理装置は、画像処理装置の一覧を前記サービス利用制御装置から受け取る装置一覧受取部と、前記画像処理装置の一覧の中から画像処理装置を選択する装置選択部と、前記画像処理装置の選択結果を前記サービス利用制御装置に送る装置選択結果送出部と、をさらに備え、前記サービス利用制御装置は、前記認証情報に関連付けられている画像処理装置の一覧を前記画像処理装置に送る装置一覧送出部と、前記画像処理装置の選択結果を前記画像処理装置から受け取る装置選択結果受取部と、をさらに備え、前記処理部は、前記画像処理装置の選択結果に基づき、前記識別情報で識別される画像処理装置に加えて、前記選択された画像処理装置による前記サービスの利用を可能にする処理を行う。
【００１０】
また、本発明の一態様では、前記処理部は、前記認証情報に関連付けられている承認者にサービスの利用可否を問い合わせ、前記承認者から利用可の旨の回答を受けた場合に、サービスの利用を可能にする処理を行う。
【００１１】
本発明に係るサービス利用制御装置は、画像処理装置から認証情報を受け取る認証情報受取部と、前記画像処理装置から当該画像処理装置を識別するための識別情報を受け取る識別情報受取部と、前記受け取られた認証情報に基づいて認証を行う認証部と、前記認証が成功した場合に、前記受け取られた識別情報で識別される画像処理装置による所定のサービスの利用を可能にする処理を行う処理部と、を備えることを特徴とする。
【００１２】
本発明に係るサービス利用制御プログラムは、コンピュータに、画像処理装置から認証情報を受け取るステップと、前記画像処理装置から当該画像処理装置を識別するための識別情報を受け取るステップと、前記受け取られた認証情報に基づいて認証を行うステップと、前記認証が成功した場合に、前記受け取られた識別情報で識別される画像処理装置による所定のサービスの利用を可能にする処理を行うステップと、を実行させることを特徴とする。
【発明の効果】
【００１３】
本発明によれば、画像処理装置によるサービスの利用を可能にするための設定を簡単に行うことが可能なサービス利用制御システムを提供することができる。
【発明を実施するための最良の形態】
【００１４】
以下、本発明の実施の形態を図面に従って説明する。
【００１５】
［全体構成］
図１は、本実施の形態に係るサービス利用制御システムを含むシステム１００の全体構成を示すブロック図である。図１において、システム１００は、１台以上の画像処理装置１０Ａ，１０Ｂ，１０Ｃ，・・・（以下、適宜「画像処理装置１０」と総称する）、情報記憶装置２０、サービス提供装置３０Ａ，３０Ｂ，３０Ｃ，・・・（以下、適宜「サービス提供装置３０」と総称する）、および総合サービス提供装置４０を有する。画像処理装置１０および情報記憶装置２０は、それぞれ、サービス提供装置３０および総合サービス提供装置４０に接続される。
【００１６】
情報記憶装置２０、サービス提供装置３０、および総合サービス提供装置４０は、適宜の構成により実現可能であるが、本実施の形態では、それぞれ１台以上のコンピュータにより実現される。情報記憶装置２０、サービス提供装置３０、および総合サービス提供装置４０は、例えば、サービス提供者によって管理され、サービス提供システムを構成する。また、本実施の形態では、画像処理装置１０、サービス提供装置３０、および総合サービス提供装置４０は、ネットワーク（ここではインターネット）Ｎに接続されている。なお、以下の説明では、情報記憶装置２０、サービス提供装置３０、および総合サービス提供装置４０を、それぞれ情報管理サーバ２０、サービスサーバ３０、および総合サービスサーバ４０と称す。
【００１７】
画像処理装置１０は、スキャナ機能またはファクシミリ機能を備える装置であり、本実施の形態では、スキャナ機能、ファクシミリ機能、プリンタ機能、およびコピー機能のうち２つ以上の機能を備える複合機（MFP: Multi Function Peripheral）である。
【００１８】
情報管理サーバ２０は、画像処理装置１０に関する情報やサービスの利用設定に関する情報など、各種の情報を管理するものである。
【００１９】
サービスサーバ３０は、画像処理装置１０に対してサービスを提供するものである。サービスサーバ３０Ａ，３０Ｂ，３０Ｃ，・・・は、それぞれ異なるサービスを提供する。ここで、サービスは、有料サービスであってもよいし、無料サービスであってもよい。また、サービスとしては、画像処理装置１０からスキャンファイルを受け取って保存するサービスや、スキャンファイルを受け取って加工するサービスや、ファクシミリファイルを受け取って保存するサービスなどが挙げられる。
【００２０】
総合サービスサーバ４０は、画像処理装置１０に対して総合サービスを提供するものである。本実施の形態では、総合サービスサーバ４０は、画像処理装置１０によるサービスの利用を制御するサービス利用制御装置としての機能を備える。
【００２１】
［画像処理装置および総合サービスサーバの機能構成］
図２は、画像処理装置１０および総合サービスサーバ４０の機能構成を示すブロック図である。以下、図２に従って、画像処理装置１０および総合サービスサーバ４０の機能構成について説明する。
【００２２】
画像処理装置１０は、認証情報受付部１１、認証情報送出部１２、識別情報送出部１３、サービス一覧受取部１４、サービス選択部１５、サービス選択結果送出部１６、装置一覧受取部１７、装置選択部１８、および装置選択結果送出部１９を有する。
【００２３】
認証情報受付部１１は、認証情報の入力を受け付ける。本実施の形態では、認証情報受付部１１は、画像処理装置１０の不図示のユーザインタフェース（例えば操作パネルであり、以下「ＵＩ」と称す）を介して利用者から、ユーザＩＤとパスワードの入力を受け付ける。ここで、認証情報は、総合サービスサーバ４０にアクセスするためのものであり、例えば利用者とサービス提供者との契約に基づいてサービス提供者から利用者に対して発行されるものである。例えば、認証情報は、画像処理装置１０の契約（売買契約やリース契約）に基づいて、購入者やリース利用者に対して発行される。
【００２４】
認証情報送出部１２は、認証情報受付部１１により受け付けられた認証情報を総合サービスサーバ４０に送る。
【００２５】
識別情報送出部１３は、当該画像処理装置１０を識別するための識別情報を総合サービスサーバ４０に送る。本実施の形態では、識別情報送出部１３は、ユーザＩＤとパスワードを送出する際に、当該画像処理装置１０に予め設定されているシリアル番号を総合サービスサーバ４０に送る。ただし、識別情報は、上記のタイミングに限られず適宜のタイミングで送られればよい。
【００２６】
サービス一覧受取部１４は、当該画像処理装置１０について利用可能にすることが可能なサービスの一覧を総合サービスサーバ４０から受け取る。
【００２７】
サービス選択部１５は、サービス一覧受取部１４により受け取られたサービスの一覧の中からサービスを選択する。具体的には、サービス選択部１５は、ＵＩを介して利用者から、サービスの選択を受け付ける。
【００２８】
サービス選択結果送出部１６は、サービス選択部１５によるサービスの選択結果を、総合サービスサーバ４０に送る。
【００２９】
装置一覧受取部１７は、後述する画像処理装置の一覧を総合サービスサーバ４０から受け取る。
【００３０】
装置選択部１８は、装置一覧受取部１７により受け取られた画像処理装置の一覧の中から画像処理装置を選択する。具体的には、装置選択部１８は、ＵＩを介して利用者から、画像処理装置の選択を受け付ける。
【００３１】
装置選択結果送出部１９は、装置選択部１８による画像処理装置の選択結果を、総合サービスサーバ４０に送る。
【００３２】
総合サービスサーバ４０は、認証情報受取部４１、識別情報受取部４２、認証部４３、サービス一覧送出部４４、サービス選択結果受取部４５、装置一覧送出部４６、装置選択結果受取部４７、および処理部４８を有する。
【００３３】
認証情報受取部４１は、画像処理装置１０の認証情報送出部１２から上記の認証情報を受け取る。
【００３４】
識別情報受取部４２は、画像処理装置１０の識別情報送出部１３から上記の識別情報を受け取る。
【００３５】
認証部４３は、認証情報受取部４１により受け取られた認証情報に基づいて認証を行う。具体的には、認証部４３は、情報管理サーバ２０に予め登録されている認証用の情報と、受け取られた認証情報とを照合することにより、当該認証情報の正当性を判断する。
【００３６】
サービス一覧送出部４４は、認証情報受取部４１により受け取られた認証情報または識別情報受取部４２により受け取られた識別情報に基づき、当該識別情報で識別される画像処理装置１０について利用可能にすることが可能なサービス（すなわち利用設定可能なサービス）の一覧を、当該画像処理装置１０に送る。例えば、情報管理サーバ２０には、認証情報と利用設定可能なサービスを特定するための情報（例えば契約のランク）とが関連付けて登録されており、サービス一覧送出部４４は、上記情報管理サーバ２０の情報と認証情報とに基づいて、上記サービスの一覧を作成して送信する。また例えば、情報管理サーバ２０には、識別情報と利用設定可能なサービスを特定するための情報（例えば装置の構成情報）とが関連付けて登録されており、サービス一覧送出部４４は、上記情報管理サーバ２０の情報と識別情報とに基づいて、上記サービスの一覧を作成して送信する。また、サービス一覧送出部４４は、上記情報管理サーバ２０の情報を参照して、認証情報および識別情報の両方に基づき、上記サービスの一覧を作成して送信してもよい。
【００３７】
サービス選択結果受取部４５は、画像処理装置１０のサービス選択結果送出部１６から、サービスの選択結果を受け取る。
【００３８】
装置一覧送出部４６は、認証情報受取部４１により受け取られた認証情報に関連付けられている画像処理装置の一覧を、画像処理装置１０に送る。具体的には、情報管理サーバ２０には、認証情報と画像処理装置の一覧とが関連付けて登録されている。例えば、複数の画像処理装置１０について契約（売買契約やリース契約）された場合、購入者やリース利用者に対して認証情報が発行されるとともに、当該認証情報と当該複数の画像処理装置１０の属性情報（シリアル番号等）とが対応付けて情報管理サーバ２０に登録される。装置一覧送出部４６は、上記情報管理サーバ２０の情報を参照して、受け取られた認証情報に関連付けられている画像処理装置の一覧を、画像処理装置１０に送る。
【００３９】
装置選択結果受取部４７は、画像処理装置１０の装置選択結果送出部１９から、画像形成装置の選択結果を受け取る。
【００４０】
処理部４８は、認証部４３による認証が成功した場合に、識別情報受取部４２により受け取られた識別情報で識別される画像処理装置１０による所定のサービスの利用を可能にする処理を行う。ここでは、所定のサービスは、インターネット上のサービスサーバ３０により提供されるサービスである。サービスの利用を可能にする処理としては、画像処理装置１０がサービスを要求することが可能となるように画像処理装置側を設定する処理や、画像処理装置１０に対するサービスの提供が許可されるようにサービス提供システム側（例えば情報管理サーバ２０の情報）を設定する処理などがある。
【００４１】
本実施の形態では、処理部４８は、サービス選択結果受取部４５により受け取られたサービスの選択結果に基づき、選択されたサービスの利用を可能にする処理を行う。また、本実施の形態では、処理部４８は、装置選択結果受取部４７により受け取られた画像処理装置の選択結果に基づき、識別情報で識別される画像処理装置に加えて、選択された画像処理装置によるサービスの利用を可能にする処理を行う。
【００４２】
さらに、本実施の形態では、処理部４８は、認証情報受取部４１により受け取られた認証情報に関連付けられている承認者にサービスの利用可否を問い合わせ、上記承認者から利用可の旨の回答を受けた場合に、サービスの利用を可能にする処理を行う。具体的には、情報管理サーバ２０には、認証情報と承認者の連絡先（メールアドレス等）とが関連付けて登録されており、処理部４８は、上記情報管理サーバ２０の情報を参照して、電子メール等の適宜の通信方法により、承認者に対して問い合わせを行い、承認者から回答を得る。
【００４３】
なお、上記の画像処理装置１０および総合サービスサーバ４０の上記各種機能は、例えば、ＲＯＭ（Read Only Memory）やハードディスク等の記録媒体に記録されたコンピュータプログラムがメインメモリに読み出されてＣＰＵ（Central Processing Unit）に実行されることによって実現される。このようなプログラムは、ＣＤ−ＲＯＭ等の適宜の記録媒体に記録されて配布されることも可能であるし、ネットワーク経由で配信されることも可能である。ただし、上記各装置１０、４０の機能の一部または全部は、専用のハードウェア装置など、他の構成により実現されてもよい。
【００４４】
［情報管理サーバの記憶内容］
図３は、情報管理サーバ２０に記憶されている情報の内容を示す図である。以下、図３に従って、情報管理サーバ２０の記憶内容について具体的に説明する。図３に示されるように、情報管理サーバ２０は、契約毎の契約情報２１と、装置情報テーブル２２と、サービス利用設定テーブル２３とを記憶する。
【００４５】
契約情報２１は、画像処理装置１０の契約（売買契約やリース契約など）に関する情報であり、契約毎に作成されて情報管理サーバ２０に登録される。契約情報２１には、図３に示されるように、当該契約に係るユーザＩＤ／パスワードと、契約対象の１または複数の画像処理装置１０のシリアル番号と、当該契約のランクと、承認者の有無と、承認者のメールアドレスとが含まれる。ここで、契約に係るユーザＩＤ／パスワードとしては、契約時に発行されたものがあるが、利用者の希望等により新規登録／変更／削除することが可能である。例えば、総合サービスサーバ４０は、画像処理装置１０やＰＣから、契約時に発行されたユーザＩＤ／パスワードを伴う新規登録／変更／削除の指示を受け付けると、ユーザＩＤ／パスワードの新規登録／変更／削除を実行する。また、各ユーザＩＤ／パスワードには、適宜に機能制限を加えることが可能である。機能制限としては、利用設定可能なサービスの種類の制限などがある。また、承認者の有無およびメールアドレスは、契約時に設定され、契約後に新規登録や変更が可能である。
【００４６】
装置情報テーブル２２には、図３に示されるように、各画像処理装置１０について、当該画像処理装置１０のシリアル番号と、当該画像処理装置１０の装置属性情報とが関連付けて登録される。ここで、装置属性情報は、機種名、機器構成情報、利用者により設定される装置を識別するための名称などを含む。なお、装置情報テーブル２２への画像処理装置１０に関する情報の登録は、例えば当該画像処理装置１０の契約直後に行われる。
【００４７】
サービス利用設定テーブル２３には、図３に示されるように、各画像処理装置１０について、当該画像処理装置１０のシリアル番号と、当該画像処理装置１０により利用可能なサービスとが関連付けて登録される。また、シリアル番号およびサービスの組み合わせ毎に、当該サービスで利用されるサービス用情報と、サービス利用設定の履歴を示す設定履歴情報とが登録される。設定履歴情報は、例えば、設定日時、設定者、設定に用いられた画像処理装置などを示す情報である。
【００４８】
なお、情報管理サーバ２０に保存されている上記情報の一部または全部は、画像処理装置１０やＰＣから閲覧可能とされてもよい。例えば、サービス利用設定テーブルを閲覧可能とすれば、誰がいつどのサービスをどのマシンから設定したかを確認することが可能となる。
【００４９】
［サービス利用設定時の動作］
図４は、本実施の形態に係るシステム１００のサービス利用設定時の動作を示すシーケンス図である。以下、図４に従って、システム１００のサービス利用設定時の動作について具体的に説明する。なお、ここでは、画像処理装置１０と総合サービスサーバ４０との通信は、画像処理装置１０上のＷｅｂブラウザと総合サービスサーバ４０上のＷｅｂサーバとの通信により実現されるものとする。
【００５０】
利用者は、画像処理装置１０Ａからインターネット上の有料サービスを利用しようとする場合、当該画像処理装置１０Ａのインターネット接続の設定を行った後、画像処理装置１０Ａから総合サービスサーバ４０にアクセスする。すると、画像処理装置１０ＡのＵＩ画面上には、総合サービスサイトのトップページが表示される。このトップページにおいて、利用者により「有料サービスの利用設定を行う」ボタンが押下されると、ユーザＩＤとパスワードの入力を求めるページが表示される。このページにおいてユーザＩＤとパスワードが入力され「ＯＫ」ボタンが押下されると、画像処理装置１０Ａは、入力されたユーザＩＤ／パスワードと、当該画像処理装置１０Ａのシリアル番号とを、総合サービスサーバ４０に送信する（Ｓ１）。
【００５１】
総合サービスサーバ４０は、ユーザＩＤ／パスワードおよびシリアル番号を受信すると、情報管理サーバ２０を参照して、受信されたユーザＩＤ／パスワードの認証を行う（Ｓ２）。具体的には、総合サービスサーバ４０は、受信されたユーザＩＤ／パスワードを含む契約情報が存在する場合には認証成功と判定し、存在しない場合には認証失敗と判定する。なお、総合サービスサーバ４０は、認証の確度を向上させる観点より、ユーザＩＤ／パスワードおよびシリアル番号の組み合わせに基づいて認証を行ってもよい。
【００５２】
上記認証に失敗した場合、総合サービスサーバ４０は、アクセス元の画像処理装置１０Ａにエラーメッセージを表示させる。
【００５３】
一方、上記認証に成功した場合、総合サービスサーバ４０は、情報管理サーバ２０を参照して、受信されたユーザＩＤに係る契約情報２１に含まれる契約のランクと、受信されたシリアル番号に関連付けられている装置属性情報とに基づき、画像処理装置１０Ａについて利用設定可能な有料サービスを特定する。そして、総合サービスサーバ４０は、特定された有料サービスの一覧を含む、図５に示されるような第１の有料サービス利用設定ページを画像処理装置１０Ａに表示させる（Ｓ３）。
【００５４】
上記第１の有料サービス利用設定ページにおいて、利用者により所望の有料サービスが選択されると、具体的には所望の有料サービスに対応する「設定」ボタンが押下されると、画像処理装置１０Ａは、有料サービスの選択結果を総合サービスサーバ４０に送信する（Ｓ４）。
【００５５】
総合サービスサーバ４０は、有料サービスの選択結果を受信すると、情報管理サーバ２０を参照して、受信されたユーザＩＤに係る契約情報２１に含まれるシリアル番号（すなわち契約内の画像処理装置１０）を特定する。そして、総合サービスサーバ４０は、情報管理サーバ２０の装置情報テーブル２２に基づき、上記特定された画像処理装置１０のうち、上記選択された有料サービスが利用設定可能である画像処理装置１０（アクセス元の画像処理装置１０Ａを除く）を特定する。そして、総合サービスサーバ４０は、図６に示されるような第２の有料サービス利用設定ページを画像処理装置１０Ａに表示させる（Ｓ５）。図６に示されるように、第２の有料サービス利用設定ページは、選択された有料サービスで利用されるサービス用情報の入力を受け付ける部分と、上記特定された画像処理装置の一覧を含む。図６では、画像処理装置の一覧として、画像処理装置の名称の一覧が表示されている。サービス用情報には、サービスを利用するにあたっての必須の情報や付加的な情報が含まれる。サービス用情報の内容は、サービスに応じて決められる。また、サービスによってはサービス用情報の入力は不要である。
【００５６】
上記第２の有料サービス利用設定ページにおいて、利用者は、サービス用情報を入力する。また、利用者は、現在操作している画像処理装置１０Ａの他に、上記選択した有料サービスを利用可能に設定したい画像処理装置１０があれば、画像処理装置の一覧から所望の画像処理装置を選択する。そして、利用者は、第２の有料サービス利用設定ページ上の「設定」ボタンを押下する。すると、画像処理装置１０は、入力されたサービス用情報と、画像処理装置の選択結果を総合サービスサーバ４０に送信する（Ｓ６）。
【００５７】
総合サービスサーバ４０は、上記サービス用情報および画像処理装置の選択結果を受信すると、情報管理サーバ２０を参照し、受信されたユーザＩＤに係る契約情報２１において承認者が設定されているか否かを判断し、承認者が設定されていなければステップＳ１１以降の処理を実行し、承認者が設定されていればステップＳ７以降の処理を実行する。
【００５８】
（承認者が設定されていない場合）
総合サービスサーバ４０は、アクセス元の画像処理装置１０Ａおよび選択された画像処理装置１０（選択があれば）について、上記選択された有料サービスの利用を可能にする処理を行う。
【００５９】
具体的には、総合サービスサーバ４０は、アクセス元の画像処理装置１０Ａについての利用可能登録処理を行う（Ｓ１１）。すなわち、総合サービスサーバ４０は、情報管理サーバ２０のサービス利用設定テーブル２３に、画像処理装置１０Ａのシリアル番号と、選択された有料サービスと、入力されたサービス用情報と、設定履歴情報とを関連付けて登録する。そして、総合サービスサーバ４０は、アクセス元の画像処理装置１０Ａに設定情報を送信し（Ｓ１２）、画像処理装置１０Ａは、当該設定情報を受信して自身の利用可能サービステーブルに登録する（Ｓ１３）。ここで、設定情報には、有料サービスにアクセスするためのアドレス情報（例えば、サービスサーバ３０のＵＲＬ）と、有料サービスの名称（文字列）とが含まれる。
【００６０】
また、総合サービスサーバ４０は、選択された画像処理装置１０についての利用可能登録処理を行う（Ｓ１４）。すなわち、総合サービスサーバ４０は、選択された画像処理装置１０の各々について、情報管理サーバ２０のサービス利用設定テーブル２３に、当該画像処理装置１０のシリアル番号と、選択された有料サービスと、入力されたサービス用情報と、設定履歴情報とを関連付けて登録する。そして、総合サービスサーバ４０は、各画像処理装置１０に設定情報を送信し（Ｓ１５）、各画像処理装置１０は、当該設定情報を受信して自身の利用可能サービステーブルに登録する（Ｓ１６）。ここで、アクセス元でない各画像処理装置１０への設定情報の送信は、適宜の通信方法により行われればよい。例えば、総合サービスサーバ４０は、画像処理装置１０からの問い合わせに応じて設定情報を送信してもよいし、携帯電話回線等を介して画像処理装置１０に対して設定情報をプッシュ送信してもよい。
【００６１】
（承認者が設定されている場合）
総合サービスサーバ４０は、設定者情報（氏名、所属、社員番号、メールアドレス、電話番号など）の入力を求める入力フォームページを、画像処理装置１０Ａに送信して表示させる（Ｓ７）。
【００６２】
上記入力フォームページにおいて利用者により設定者情報が入力されて「ＯＫ」ボタンが押下されると、画像処理装置１０Ａは、入力された設定者情報を総合サービスサーバ４０に送信する（Ｓ８）。
【００６３】
総合サービスサーバ４０は、設定者情報を受信すると、当該設定者情報を含む、有料サービスの利用可否を問い合わせるメールを、契約情報２１に設定されている承認者のメールアドレスに対して送信する（Ｓ９）。
【００６４】
承認者は、上記メールを受信すると、例えば承認者のＰＣから、当該メールに記載されているＵＲＬ（総合サービスサーバ４０により管理されている所定のページのＵＲＬ）にアクセスする。そして、承認者は、当該ページにおいて、メールに記載されているワンタイムパスワードを入力するとともに、利用可否の決定を入力し、「ＯＫ」ボタンを押下する。すると、承認者のＰＣは、入力されたワンタイムパスワードおよび利用可否の決定を総合サービスサーバ４０に送信する（Ｓ１０）。
【００６５】
総合サービスサーバ４０は、上記ワンタイムパスワードおよび利用可否の決定を受信すると、当該ワンタイムパスワードに基づく認証に成功し、かつ利用可の決定が行われた場合には、アクセス元の画像処理装置１０Ａおよび選択された画像処理装置１０（選択があれば）について、上記選択された有料サービスの利用を可能にする処理を行う（Ｓ１１〜Ｓ１６）。一方、認証に失敗した場合や利用不可の決定が行われた場合には、上記有料サービスの利用を可能にする処理は行われない。
【００６６】
また、総合サービスサーバ４０は、利用可否の結果を設定者のメールアドレスおよびアクセス元の画像処理装置１０Ａに通知する。したがって、利用可否の結果は、設定者のＰＣや画像処理装置１０Ａで確認可能である。
【００６７】
［サービス利用時の動作］
以下、システム１００のサービス利用時の動作について具体的に説明する。画像処理装置１０は、ＵＩ上に、「コピー」、「ファクス」、「スキャン」、「サービス」を含むメニュー画面を表示させる。このメニュー画面上で利用者により「サービス」が選択されると、画像処理装置１０は、自身の利用可能サービステーブルに登録されている有料サービスの名称（文字列）の一覧画面をＵＩ上に表示させる。この一覧画面において、利用者により所望の有料サービスが選択されると、画像処理装置１０は、当該有料サービスに応じたメッセージ（ここでは、「サービスを受けたい文書をスキャンして下さい」というメッセージであるとする）をＵＩ上に表示させる。このメッセージに応じて利用者により文書のスキャン操作が行われると、画像処理装置１０は、文書をスキャンしてスキャンファイルを生成する。そして、画像処理装置１０は、利用可能サービステーブルに登録されている有料サービスのＵＲＬに基づき、当該スキャンファイルおよび自身のシリアル番号を、選択された有料サービスのアクセスポイント（ここでは、サービスサーバ３０Ａであるとする）に送信する。
【００６８】
サービスサーバ３０Ａは、上記スキャンファイルおよびシリアル番号を受信すると、情報管理サーバ２０のサービス利用設定テーブル２３を参照して、当該シリアル番号に対して当該サービスサーバ３０Ａの有料サービスが関連付けられているか否かを判断する。そして、関連付けられていれば、サービスサーバ３０Ａは、スキャンファイルに対する所定の処理（保存や加工等）を実行する。一方、関連付けられていなければ、サービスサーバ３０Ａは、スキャンファイルに対する所定の処理を実行することなく、アクセス元の画像処理装置１０にエラーを通知する。
【００６９】
なお、上記の有料サービスの利用料金は、例えば、画像処理装置１０のメンテナンス料金に上乗せされて、利用者に請求される。
【００７０】
以上説明した本実施の形態によれば、下記（１）〜（４）の効果が得られ得る。
【００７１】
（１）本実施の形態では、画像処理装置は、認証情報の入力を受け付け、当該認証情報をサービス利用制御装置に送る。また、画像処理装置は、当該画像処理装置を識別するための識別情報をサービス利用制御装置に送る。サービス利用制御装置は、画像処理装置から認証情報および識別情報を受け取り、当該認証情報に基づいて認証を行い、当該認証が成功した場合に、上記識別情報で識別される画像処理装置による所定のサービスの利用を可能にする処理を行う。このため、本実施の形態では、画像処理装置によるサービスの利用を可能にするための設定を簡単に行うことが可能である。具体的に説明すると、例えば、画像処理装置１０からインターネットＮ上のサービスを利用しようとする場合に、利用者は、ＰＣを用いた利用設定作業を行うことなく、当該画像処理装置１０を操作することでサービスを利用可能に設定することができる。このため、利用者に対するサービス利用設定の負担を軽減することができる。また、サービス提供者は、ヘルプデスクへの問い合わせ回数やサービス利用設定に関連する運用工数を削減することができ、運用コストを削減することができる。
【００７２】
（２）本実施の形態では、サービス利用制御装置は、画像処理装置からの認証情報または識別情報に基づき、当該画像処理装置について利用可能にすることが可能なサービスの一覧を当該画像処理装置に送る。画像処理装置は、サービス利用制御装置から上記サービスの一覧を受け取り、当該サービスの一覧の中からサービスを選択し、選択結果をサービス利用制御装置に送る。サービス利用制御装置は、画像処理装置から上記サービスの選択結果を受け取り、当該選択結果に基づき、上記選択されたサービスの利用を可能にする。このため、本実施の形態によれば、複数のサービスが存在する場合に、認証情報や識別情報に応じた適切なサービスの中から所望のサービスを選択して利用可能に設定することができる。
【００７３】
（３）本実施の形態では、サービス利用制御装置は、画像処理装置からの認証情報に関連付けられている画像処理装置の一覧を当該画像処理装置に送る。画像処理装置は、サービス利用制御装置から上記画像処理装置の一覧を受け取り、当該一覧の中から画像処理装置を選択し、選択結果をサービス利用制御装置に送る。サービス利用制御装置は、画像処理装置から上記選択結果を受け取り、当該選択結果に基づき、上記識別情報で識別される画像処理装置に加えて、上記選択された画像処理装置によるサービスの利用を可能にする処理を行う。このため、本実施の形態によれば、ある認証情報を用いて画像処理装置からサービスの利用設定を行う場合に、当該認証情報に関連付けられた他の画像処理装置についてもサービスの利用設定を行うことができる。具体的に説明すると、例えば、契約内の複数の画像処理装置からサービスを利用したい場合において、ある１つの画像処理装置から複数の画像処理装置についてサービス利用設定を行うことができ、各画像処理装置から利用設定を行う必要がなく、利用設定の負荷が軽減される。
【００７４】
（４）本実施の形態では、サービス利用制御装置は、上記認証情報に関連付けられている承認者にサービスの利用可否を問い合わせ、当該承認者から利用可の旨の回答を受けた場合に、サービスの利用を可能にする処理を行う。このため、本実施の形態によれば、承認者による承認を条件として、サービスの利用を可能にする処理を行うことができる。
【００７５】
なお、本発明は、上記実施の形態に限定されるものではなく、本発明の要旨を逸脱しない範囲内で種々変更することができる。
【図面の簡単な説明】
【００７６】
【図１】実施の形態に係るサービス利用制御システムを含むシステムの全体構成を示すブロック図である。
【図２】画像処理装置および総合サービスサーバの機能構成を示すブロック図である。
【図３】情報管理サーバに記憶されている情報の内容を示す図である。
【図４】実施の形態に係るシステムのサービス利用設定時の動作を示すシーケンス図である。
【図５】第１の有料サービス利用設定ページを示す図である。
【図６】第２の有料サービス利用設定ページを示す図である。
【符号の説明】
【００７７】
１０  画像処理装置、１１  認証情報受付部、１２  認証情報送出部、１３  識別情報送出部、１４  サービス一覧受取部、１５  サービス選択部、１６  サービス選択結果送出部、１７  装置一覧受取部、１８  装置選択部、１９  装置選択結果送出部、２０  情報管理サーバ、３０  サービスサーバ、４０  総合サービスサーバ、４１  認証情報受取部、４２  識別情報受取部、４３  認証部、４４  サービス一覧送出部、４５  サービス選択結果受取部、４６  装置一覧送出部、４７  装置選択結果受取部、４８  処理部。
【図１】
2008065501.tif 000003
【図２】
2008065501.tif 000004
【図３】
2008065501.tif 000005
【図４】
2008065501.tif 000006
【図５】
2008065501.tif 000007
【図６】
2008065501.tif 000008